(57)【要約】【課題】製造や組立が簡単であり、変形や破損し難い棒灸保持具、その製造方法、棒灸保持具を有する温灸棒、および棒灸保持具を有する灸装置を提供する。【解決手段】外管１０Ａと、当該外管１０Ａの内部に配置されて棒灸５０を収納する内管２０Ａとを有する棒灸保持具１Ａにおいて、外管１０Ａには、先端部に棒灸５０を保持するためのグリッパーが設けられ、外管１０Ａと内管２０Ａとの間に、圧縮スプリング３０が配置される位置制限空間が設けられ、外管１０Ａと内管２０Ａとは、リアリング４０Ａを介して、相対移動可能に接続されている。【選択図】図１
2019150550.tif 000002
【特許請求の範囲】
【請求項１】
外管と、当該外管の内部に配置されて棒灸を収納する内管とを有する棒灸保持具であって、
前記外管には、先端部に前記棒灸を保持するためのグリッパーが設けられ、
前記外管と前記内管との間に、圧縮スプリングが配置される位置制限空間が設けられ、
前記外管と前記内管とは、リアリングを介して、相対移動可能に接続されていることを特徴とする棒灸保持具。
【請求項２】
請求項１に記載の棒灸保持具であって、
前記内管が前記外管に対して前進すると前記グリッパーが広げられ、前記内管が前記外管に対して後退すると前記グリッパーが収束するようになっていることを特徴とする棒灸保持具。
【請求項３】
請求項１または２に記載の棒灸保持具であって、
前記外管の内径が、前記内管の外径より大きく、前記棒灸の直径が前記内管の内径より小さくなっており、
前記内管の外壁面において、前記外管の末端部よりも内側に位置する箇所に環状リブが設けられ、
前記リアリングの内径が、前記内管の外径より大きく、前記環状リブの外径より小さくなっており、
前記リアリングは、前記外管の末端に接続されていることを特徴とする棒灸保持具。
【請求項４】
請求項１〜３のいずれか１項に記載の棒灸保持具であって、
前記外管は、末端から所定の範囲にわたって内径が拡大された大径部と、内径差によって形成された内径段差部とを有し、前記大径部の内壁面と前記内管の外壁面との間の空間は、前記位置制限空間となっており、前記圧縮スプリングは、一端が前記内径段差部に制限され、他端が前記内管の環状リブに制限されるように前記位置制限空間に配置されていることを特徴とする棒灸保持具。
【請求項５】
請求項１〜３のいずれか１項に記載の棒灸保持具であって、
前記外管の先端部に、前記グリッパーと接続するための接続ヘッドを有し、
前記内管は、先端から所定領域において外径が縮小された小径部と、外径差によって形成された外径段差部とを有し、前記小径部の外壁面と前記外管の内壁面との間の空間は、前記位置制限空間となっており、前記圧縮スプリングは、一端が前記外径段差部に制限され、他端が前記接続ヘッドの末端に制限されるように前記位置制限空間に配置されていることを特徴とする棒灸保持具。
【請求項６】
請求項１〜４のいずれか１項に記載の棒灸保持具であって、
前記外管の先端部において、外径が先端へ向かって小さくなるテーパ部が形成され、
前記グリッパーは、前記テーパ部に２つ以上の弾性指状部材が接合されて構成されたものであることを特徴とする棒灸保持具。
【請求項７】
請求項１〜５のいずれか１項に記載の棒灸保持具であって、
前記グリッパーは、前記外管の先端部に脱着可能に接続され、一端部がネジ部を介して前記外管の先端部に接続され、他端部に３つ以上の弾性指が設けられていることを特徴とする棒灸保持具。
【請求項８】
請求項７に記載の棒灸保持具であって、
前記グリッパーは、前記ネジ部が末端部に設けられた中空円筒状の外リングと、先端から２つ以上の指が伸び出すように前記外リングの内部に嵌め込まれる中空円筒状の指リングと、当該指リングを前記外リング内に固定する中空円筒状の内リングとを有していることを特徴とする棒灸保持具。
【請求項９】
請求項７に記載の棒灸保持具であって、
前記グリッパーは、前記ネジ部が末端部に設けられた中空円筒状の外リングと、先端から２つ以上の指が伸び出すように前記外リングの内部に嵌め込まれる環状の指リングと、当該指リングを前記外リング内に固定する環状の内リングとを有していることを特徴とする棒灸保持具。
【請求項１０】
請求項８または９に記載の棒灸保持具の製造方法であって、
所定の厚さおよび硬度を有する金属板を用いて、板状部材に加工してから立体成型することによって前記指リングを作製するステップと、
前記指リングを前記外リング内に固定するステップと、
前記外リングと前記外管の先端とを螺子部によって接続させるステップと、
前記圧縮スプリングを前記内管外に嵌めて、前記内管を前記外管内に挿入して、前記リアリングを前記外管の末端に螺子部によって接続するステップとを備えていることを特徴とする棒灸保持具の製造方法。
【請求項１１】
灸装置であって、
請求項１〜９のいずれか１項に記載の棒灸保持具を備えていることを特徴とする灸装置。
【請求項１２】
温灸棒であって、
請求項１〜９のいずれか１項に記載の棒灸保持具を備えていることを特徴とする温灸棒。
【発明の詳細な説明】
【技術分野】
【０００１】
本発明は、棒灸保持具、その製造方法、棒灸保持具を有する温灸棒、および棒灸保持具を有する灸装置に関する。
【背景技術】
【０００２】
灸装置において、中空円筒状の棒もぐさ（以下、棒灸と称する）を燃やすことによって熱放射を実現するものが多い。このような灸装置は、棒灸保持具を備える必要がある。従来の棒灸保持具は、以下の２種類に分けられている。
【０００３】
（１）固定型
固定型の棒灸保持具は、通常、スプリング板またはスプリングワイヤーで構成されたものであり、棒灸がスプリング板またはスプリングワイヤーの間に直接挿し込まれるようになっている。従来の灸装置の多くは、例えば、特許文献１に開示されるように、このような固定型の棒灸保持具を備えている。
【０００４】
（２）移動型
移動型の棒灸保持具として、例えば、特許文献２に開示された健康温療器に用いた棒灸保持具が挙げられる。当該棒灸保持具は、外管と、当該外管の内部に配置された押出内管とを備え、押出内管の先端にグリッパーが設けられている。押出内管を前進させるとグリッパーが広がり、押出内管を後退させるとグリッパーが閉じるように構成されて、棒灸を押出内管の先端のグリッパーで保持するようになっている。このような棒灸保持具は、グリッパーが外管の口径に制限されているため、グリッパーを外管に対して移動させることによって、棒灸の伸縮制御や燃焼状態の制御を実現することができる。
【０００５】
また、例えば、特許文献３には、さらに改良された移動型の棒灸保持具が開示されている。当該棒灸保持具では、グリッパーが内管の先端に固定接続されている。即ち、グリッパーは、内管と別部材として構成されてから内管に接合されたものである。図１７に示す棒灸保持具１のように、予め成形されたグリッパー６は、内管２の先端に固定接合されて棒灸５を保持するようになっている。
【先行技術文献】
【特許文献】
【０００６】
【特許文献１】中国実用新案第２０１４９２６６２号明細書
【特許文献２】台湾実用新案第１５２４２４号明細書
【特許文献３】中国特許出願公開第１０４４９０５９４号明細書
【発明の概要】
【発明が解決しようとする課題】
【０００７】
上記移動型の棒灸保持具は、いずれも内管の先端にグリッパーが設けられ、当該内管を外管に対して進退させてグリッパーの伸縮を制御することによって棒灸の伸縮および保持を実現することができる。しかしながら、このような構造では、製造および組立が複雑で、コストが高いだけではなく、頻繁に動かされる内管にグリッパーが設けられているため、グリッパーが変形や破損し易くなるといった問題点がある。
【０００８】
本発明は、上記の事情に鑑みてされたものであり、製造や組立が簡単であり、変形や破損し難い棒灸保持具、その製造方法、棒灸保持具を有する温灸棒、および棒灸保持具を有する灸装置を提供することを目的としている。
【課題を解決するための手段】
【０００９】
上記課題を解決するために、本発明は、外管と、当該外管の内部に配置されて棒灸を収納する内管とを有する棒灸保持具であって、前記外管には、先端部に前記棒灸を保持するためのグリッパーが設けられ、前記外管と前記内管との間に、圧縮スプリングが配置される位置制限空間が設けられ、前記外管と前記内管とは、リアリングを介して、相対移動可能に接続されていることを特徴とする。
【００１０】
上記構成の棒灸保持具において、前記内管が前記外管に対して前進すると前記グリッパーが広げられ、前記内管が前記外管に対して後退すると前記グリッパーが収束するようになっていることが好ましい。また、前記外管の内径が、前記内管の外径より大きく、前記棒灸の直径が、前記内管の内径より小さくなっており、前記内管の外壁面において、前記外管の末端部よりも内側に位置する箇所に環状リブが設けられ、前記リアリングの内径が、前記内管の外径より大きく、前記環状リブの外径より小さくなっており、前記リアリングは、前記外管の末端に接続されていることが好ましい。また、前記外管は、末端から所定の範囲にわたって内径が拡大された大径部と、内径差によって形成された内径段差部とを有し、前記大径部の内壁面と前記内管の外壁面との間の空間は、前記位置制限空間となっており、前記圧縮スプリングは、一端が前記内径段差部に制限され、他端が前記内管の環状リブに制限されるように前記位置制限空間に配置されていることが好ましい。また、前記外管の先端部に、前記グリッパーと接続するための接続ヘッドを有し、前記内管は、先端から所定領域において外径が縮小された小径部と、外径差によって形成された外径段差部とを有し、前記小径部の外壁面と前記外管の内壁面との間の空間は、前記位置制限空間となっており、前記圧縮スプリングは、一端が前記外径段差部に制限され、他端が前記接続ヘッドの末端に制限されるように前記位置制限空間に配置されていることが好ましい。
【００１１】
上記構成の棒灸保持具において、前記外管の先端部において、外径が先端へ向かって小さくなるテーパ部が形成され、前記グリッパーは、前記テーパ部に２つ以上の弾性指状部材が接合されて構成されたものであることが好ましい。また、前記グリッパーは、前記外管の先端部に脱着可能に接続され、一端部がネジ部を介して前記外管の先端部に接続され、他端部に３つ以上の弾性指が設けられていることが好ましい。また、前記グリッパーは、前記ネジ部が末端部に設けられた中空円筒状の外リングと、先端から２つ以上の指が伸び出すように前記外リングの内部に嵌め込まれる中空円筒状の指リングと、当該指リングを前記外リング内に固定する中空円筒状の内リングとを有していることが好ましい。また前記グリッパーは、前記ネジ部が末端部に設けられた中空円筒状の外リングと、先端から２つ以上の指が伸び出すように前記外リングの内部に嵌め込まれる環状の指リングと、当該指リングを前記外リング内に固定する環状の内リングとを有していることが好ましい。
【００１２】
本発明は、上記構成の棒灸保持具の製造方法であって、所定の厚さおよび硬度を有する金属板を用いて、板状部材に加工してから立体成型することによって前記指リングを作製するステップと、前記指リングを前記外リング内に固定するステップと、前記外リングと前記外管の先端とを螺子部によって接続させるステップと、前記圧縮スプリングを前記内管外に嵌めて、前記内管を前記外管内に挿入して、前記リアリングを前記外管の末端に螺子部によって接続するステップとを備えていることを特徴とする。
【００１３】
本発明は、灸装置であって、上記構成の棒灸保持具を備えていることを特徴とする。また、本発明は、温灸棒であって、上記構成の棒灸保持具を備えていることを特徴とする。
【発明の効果】
【００１４】
本発明によれば、グリッパーが内管に設けられた従来の移動型棒灸保持具を、グリッパーが外管に設けられた構造に変更し、内管が外管に対して前進すれば、外管先端のグリッパーが広げられて、内管が外管に対して後退すればグリッパーが収束し、位置制限空間に配置された圧縮スプリングによって内管が元の位置に自動的に戻ることができるようになっているため、構造が簡単であり、損傷や変形し難い棒灸保持具が実現される。
【００１５】
ここで、従来では、棒灸から発生するタールがグリッパーおよび外管の先端部に付きやすく、頻繁に取り除かないと、棒灸が粘着されてしまうことがある。これに対し、本発明によれば、内管が外管の先端を突き抜けてグリッパーを広げる操作が頻繁に行われるため、タールを外管の外部に押し出すことができる。さらに、本発明によれば、グリッパーが外管に対して簡単に脱着することができるため、グリッパーが汚れた時、それを取り外して洗浄することができる。そのため、操作が便利になっている。
【００１６】
また、本発明によれば、グリッパーが外管に対して簡単に脱着することができるため、変形や破損したグリッパーを交換して棒灸保持具を継続して使用することができ、コストの低減に有利である。
【図面の簡単な説明】
【００１７】
【図１】本発明の第１実施の形態に係る棒灸保持具の分解斜視図である。
【図２】図１の棒灸保持具の外管の一部を切断した分解斜視図である。
【図３】図１の棒灸保持具の外管の一部を切断した斜視図である。
【図４】本発明の第２実施の形態に係る棒灸保持具の分解斜視図である。
【図５】図４の棒灸保持具の外管を切断した斜視図である。
【図６】図４の棒灸保持具の外管を切断した斜視図である。
【図７】図４の棒灸保持具のグリッパーの構造を示す分解斜視図である。
【図８】図４の棒灸保持具のグリッパーを示す斜視図である。
【図９】図７の指リングの製造方法を示す図である。
【図１０】本発明の第３実施の形態に係る棒灸保持具の分解斜視図である。
【図１１】図１０の棒灸保持具の外管を切断した斜視図である。
【図１２】図１０の棒灸保持具のグリッパーの構造を示す分解斜視図である。
【図１３】図１２の指リングの製造方法を示す図である。
【図１４】図１０の指リングが広がる前の状態を示す斜視図である。
【図１５】図１０の指リングが広がっている状態を示す斜視図である。
【図１６】図１０の棒灸保持具が棒灸を保持している状態を示す斜視図である。
【図１７】従来技術における棒灸を保持した棒灸保持具を示す斜視図である。
【発明を実施するための形態】
【００１８】
次に、図面を参照しながら本発明の実施の形態を説明する。
【００１９】
＜第１実施の形態＞
図１〜図３を参照しながら、本発明の第１実施の形態の棒灸保持具１Ａを説明する。棒灸保持具１Ａは、図１に示すように、外管１０Ａと、内管２０Ａと、圧縮スプリング３０と、リアリング４０Ａとを備えている。
【００２０】
外管１０Ａは、図２に示すように、中空円筒状の外管本体１１Ａを有している。当該外管本体１１Ａにおいて、先端部は、外径が先端に向かって次第に縮小するテーパ部１２として形成され、末端部は、末端から所定の範囲にわたって内径が拡大された大径部１３Ａが形成されている。また、弾性帯状板で構成された一対の保持指（弾性指状部材）１４が互いに対向して、それぞれの先端部が前方へ突出するように、外管１０Ａのテーパ部１２の外面に接合されて、棒灸５０を保持するグリッパーが構成されている。
【００２１】
内管２０Ａは、図２に示すように、中空円筒状の押出管２３と、一端開口の中空円筒状の末端管２２とが接続されて構成されたものである。押出管２３は、先端縁が面取り加工され、末端部の外面に雄ネジ部が形成されている。末端管２２は、先端縁にフランジ（即ち、環状リブ）２１が形成され、先端部の内壁面に雌ネジ部が形成されている。押出管２３の末端部が末端管２２の先端部内に挿入されて相互のネジ部の螺合によって、押出管２３と末端管２２とが接続されるようになっている。なお、内管２０Ａは、外径が外管１０Ａの内径より小さく、内径が棒灸５０の外径より大きくなっている。
【００２２】
圧縮スプリング３０は、図１に示すように、弾性ステンレスワイヤーで構成された中空円筒状の螺旋型バネであり、内管２０Ａの押出管２３の外壁面と外管１０Ａの大径部１３Ａの内壁面とで構成された位置制限空間に配置されるように構成されている。
【００２３】
リアリング４０Ａは、図１に示すように、中空円筒状に形成されており、その前半部分の外面に雄ネジ部が形成され、その後半部分の外面にローレット加工が施されており、その前半部分の外径が外管１０Ａの大径部１３Ａの内径より小さく、その前半部の内径が末端管２２のフランジ２１の外径より小さく、その後半部分の外径が外管１０Ａの大径部１３Ａの内径より大きくなっている。
【００２４】
棒灸保持具１Ａの組立方法として、まず、図１に示すように、内管２０Ａの押出管２３から圧縮スプリング３０を、末端が末端管２２のフランジ２１に当接するように嵌め込み、棒灸５０を先端部が外部に露出されるように内管２０Ａに挿し込む。そして、外管１０Ａの末端から内管２０Ａを挿入して、内管２０Ａの末端管２２にリアリング４０Ａを嵌めて、当該リアリング４０Ａを外管本体１１Ａの末端部にねじ込んで接合することによって、棒灸保持具１Ａを図３に示す状態に組み立てることができる。
【００２５】
組立てられた棒灸保持具１Ａにおいて、圧縮スプリング３０は、上記位置制限空間に収納され、その先端が大径部１３Ａの先端縁の段差（内径拡大で形成された段差）に当接し、その末端縁が内管２０Ａのフランジ２１に当接するようになっている。また、外管１０Ａの内部において、内管２０Ａは、末端管２２のフランジ２１がリアリング４０Ａの先端に制限されているため、外管１０Ａの末端から抜けることができないが、末端管２２が押されると、圧縮スプリング３０を押して前進することができるようになっている。
【００２６】
したがって、内管２０Ａの末端管２２を押すと、圧縮スプリング３０が圧縮されて、内管２０Ａが外管１０Ａに対して前進して外管１０Ａのテーパ部１２に接合された２つの保持指１４の間を突き抜けると、２つの保持指１４が広げられて、棒灸５０が２つの保持指１４の間に送られ、そして、手を放すと、圧縮スプリング３０の復元に連れて内管２０Ａが外管１０Ａに対して後退するため、保持指１４が収束して、棒灸５０がそのまま２つの保持指１４の間に挟まれて保持されるようになっている。逆に、棒灸５０が保持指１４に保持された状態において、内管２０Ａの末端管２２を押すと、内管２０Ａが前進して２つの保持指１４を広げて、棒灸５０を後退させることができる。このように、内管２０Ａの末端管２２を押す操作だけで、棒灸５０の伸縮を調整し、棒灸５０の燃焼を維持したり、棒灸５０の燃焼を止めたりすることができる。
【００２７】
次に、棒灸保持具１Ａの製造方法について、大型サイズの棒灸に適用される棒灸保持具１Ａの一実施例を挙げて説明する。
【００２８】
（１−１）外管１０Ａ
外径が２４ｍｍ、内径が１７ｍｍ、長さが１３８ｍｍのステンレス管を用いて外管本体１１Ａを作製する。当該外管本体１１Ａの先端部を削ることによって、外面が当該外管本体１１Ａの中心軸線に対して内方へ傾斜する（傾斜角度は１８度である）テーパ部１２を形成する。さらに、外管本体１１Ａの末端部において、長さが３５ｍｍの範囲にわたって管内壁を削ることによって内径が２０ｍｍまで拡大された大径部１３Ａを形成する。
【００２９】
（１−２）保持指１４
弾性を有するステンレス板を使って、厚さが０.２ｍｍ、長さが１６ｍｍ、幅が３.４ｍｍの帯状の保持指１４を２枚作製する。作成された２枚の保持指１４を、外管１０Ａのテーパ部１２の両側で互いに向かい合う状態でテーパ部１２の外面に溶着（レーザーまたはアルゴンアーク溶接）して接合させる。
【００３０】
（１−３）内管２０Ａ
直径が２０ｍｍ、長さが２５ｍｍのステンレス棒を用いて、その先端部から内径が１５ｍｍ、深さが２１ｍｍの孔を掘削し、孔内に雌ネジ部を設け、さらに、その末端部から先端部へ向かって外面を旋削することによって、孔の開口端縁に外径が２０ｍｍ、幅が２ｍｍのフランジ２１を形成するとともに、外径が１７ｍｍ、長さが２３ｍｍの円筒部を形成するように、末端管２２を作製する。
【００３１】
外径が１６.５ｍｍ、内径が１５ｍｍ、長さが１３６ｍｍのステンレス管を用いて、その先端の端縁に対して面取り加工（半径が０.５ｍｍ）を施し、その末端部の外面に雄ネジ部を形成するように、押出管２３を作製する。
【００３２】
末端管２２に押出管２３の末端部を挿入して、末端管２２の孔内に形成された雌ネジ部と押出管２３の末端部外面に形成された雄ネジ部とを螺合することによって、末端管２２と押出管２３とを固定接続して、内管２０Ａを構成する。
【００３３】
（１−４）圧縮スプリング３０
線径が１ｍｍの弾性ステンレスワイヤーを用いて、外径が１８.６ｍｍ、内径が１６.６ｍｍ、所定のピッチとターン（外管１０Ａの大径部１３Ａの長さに合わせる）を有する中空円筒状の螺旋型バネを形成することによって、圧縮スプリング３０を作製する。作製された圧縮スプリング３０を、内管２０Ａの押出管２３の先端から嵌め込んで、その一端が末端管２２のフランジ２１と当接するように、内管２０Ａの上に装着する。
【００３４】
（１−５）リアリング４０Ａ
外径が２４ｍｍ、内径が１８ｍｍ、長さが９ｍｍの銅管を用いて、前半部分の外面を削ることによって外径が２０ｍｍ、長さが４.５ｍｍであり、外面に雄ネジ部を有する接続部４１を形成し、残りの長さが４.５ｍｍの後半部分の外面にローレット加工を施すことによって、リアリング４０Ａを作製する。
【００３５】
（１−６）組立
棒灸５０を先端部が外部に露出されるように内管２０Ａに差し込んでから、外管１０Ａの末端から内管２０Ａを差し込み、そして、内管２０Ａの末端管２２にリアリング４０Ａを嵌めて、当該リアリング４０Ａの接続部４１を外管本体１１Ａの末端部に固定接合することによって、棒灸保持具１Ａは、図３に示す状態に組み立てられる。
【００３６】
本実施の形態に係る棒灸保持具１Ａによれば、グリッパーが外管１０Ａに設けられ、内管２０Ａが外管１０Ａに対して前進すれば、外管先端のグリッパーが広げられて、内管２０Ａが外管１０Ａに対して後退すればグリッパーが収束し、位置制限空間に配置された圧縮スプリング３０によって内管２０Ａが元の位置に自動的に戻ることができるようになっているため、構造が簡単で、操作が便利であり、損傷や変形し難い棒灸保持具を実現することができる。
【００３７】
＜第２実施の形態＞
図４〜図９を参照しながら、本発明の第２実施の形態の棒灸保持具１Ｂを説明する。図４に示すように、棒灸保持具１Ｂは、外管１０Ｂと、内管２０Ｂと、圧縮スプリング３０と、グリッパー６０Ｂと、リアリング４０Ｂとを備えている。
【００３８】
外管１０Ｂは、図４、図５に示すように、中空円筒状の外管本体１１Ｂを有し、当該外管本体１１Ｂは、先端部に外径が縮小され、中央部に環状リブ（図示省略）を有し、環状リブの前方に雄ネジ部を有する接続端部１５が形成されており、末端部に所定の範囲にわたって内径が拡大された大径部１３Ｂが形成されている。
【００３９】
内管２０Ｂ、圧縮スプリング３０、およびリアリング４０Ｂは、それぞれ、第１実施の形態における内管２０Ａ、圧縮スプリング３０、リアリング４０Ａと同じ構造とされているため、ここでは、その説明を省略する。
【００４０】
本実施の形態において、外管の先端部にテーパ部を形成し保持指を接合する第１実施の形態の構造に代えて、外管の先端部に脱着自在のグリッパー６０Ｂを装着する構造を有している。
【００４１】
グリッパー６０Ｂは、図７に示すように、中空円筒状の外リング６１と、中空円筒状の内リング６２と、指を有する中空円筒状の指リング６３とを備えている。外リング６１は、円筒の外面にローレット加工が施されており、円筒の先端縁にテーパ加工され、円筒の末端部の内壁面に雌ネジ部が形成されている。
【００４２】
内リング６２は、中空円筒状に形成されて、外径が外リング６１の内径よりやや大きく、深さが外リング６１より小さくなっている。
【００４３】
指リング６３は、例えば、図９に示す形状に加工された弾性板部材６３１を中空円筒状に丸めて構成（立体加工）されたものである。板部材６３１は、細長い長方形の板本体６３２と、当該板本体６３２の一側から並列に伸びだした３つの帯状の指（弾性指）６３３とを有している。板部材６３１の板本体６３２の両端を接近させるように板本体６３２を中空円筒状に曲げ、等間隔に配置された三本の指を円筒の中心線に対して所定の角度で傾斜するように内側へ折り曲げることによって、図９に示すような指リング６３が構成される。
【００４４】
そして、外リング６１内部に指リング６３を押圧し、指リング６３内部に内リング６２を押圧することによって、図８に示すグリッパー６０Ｂが組み立てられる。
【００４５】
棒灸保持具１Ｂの組立方法として、まず、図６に示すように、内管２０Ｂの押出管２３から圧縮スプリング３０を、末端管２２のフランジ２１に当接するように嵌め込ませ、棒灸５０を先端部が外部に露出されるように内管２０Ｂに挿し込む。そして、外管１０Ｂの末端から内管２０Ｂを挿入し、内管２０Ｂの末端管２２にリアリング４０Ｂを嵌めて、当該リアリング４０Ｂを外管本体１１Ｂの末端部にねじ込んで接合し、さらに、グリッパー６０Ｂを外管１０Ｂの接続端部１５に環状リブまで嵌めて接続端部１５の雄ネジ部と螺合させることによって、棒灸保持具１Ｂが組み立てられる。
【００４６】
組立てられた棒灸保持具１Ｂにおいて、圧縮スプリング３０は、内管２０Ｂの外壁面と外管１０Ｂの大径部１３Ｂの内壁面との間の位置制限空間に収納され、その先端縁が大径部１３Ｂの先端縁の段差（内径拡大で形成された段差）に当接され、その末端縁が内管２０Ｂのフランジ２１に当接されるようになっている。そのため、手で内管２０Ｂの末端管２２を押すと、圧縮スプリング３０が圧縮されて、内管２０Ｂが外管１０Ｂに対して前進して外管１０Ｂ先端部のグリッパー６０Ｂを突き抜けてグリッパー６０Ｂが広げられ、棒灸５０が３つの指６３３の間に送られ、手を放すと、圧縮スプリング３０の復元に連れて内管２０Ｂが外管１０Ｂに対して後退するため、グリッパー６０Ｂが収束して、棒灸５０がそのまま３つの指６３３の間に挟まれて保持されるようになっている。逆に、棒灸５０が指６３３に保持された状態において、手で内管２０Ｂの末端管２２を押すと、内管２０Ｂが前進して３つの指６３３が広げるため、棒灸５０を後退させることができる。このように、内管２０Ｂの末端管２２を押す操作だけで、棒灸５０の伸縮を調整し、棒灸５０の燃焼を維持したり、棒灸５０の燃焼を止めたりすることができる。
【００４７】
次に、棒灸保持具１Ｂの製造方法について、小型サイズの棒灸に適用される棒灸保持具１Ｂの一実施例を挙げて説明する。
【００４８】
（２−１）外管１０Ｂ
外径が１１ｍｍ、内径が７ｍｍ、長さが９８ｍｍのアルミ管を用いて外管本体１１Ｂを作製する。当該外管本体１１Ｂの先端部の外面を、長さが１４ｍｍにわたって旋削することによって、外径が７．９ｍｍの接続部を形成し、さらに、当該接続部の中間部位に環状リブを形成し、当該環状リブより前側の部分に雄ネジ部を形成する。外管本体１１Ｂの末端部において、長さが１８ｍｍの範囲にわたって管内壁を削ることによって内径が９ｍｍまで拡大された大径部１３Ｂを形成する。
【００４９】
（２−２）内管２０Ｂ
直径が８．８ｍｍ、長さが１７ｍｍの銅棒を用いて、その先端部から内径が６．９ｍｍ、深さが４ｍｍの孔を掘削し、孔内に雌ネジ部を設け、さらに、その末端部から先端部へ向かって外面を旋削することによって、孔の開口端縁に幅が１ｍｍのフランジ２１を形成するとともに、外径が７．９ｍｍ、長さが１６ｍｍの円筒部を形成するように、末端管２２を作製する。
【００５０】
外径が６．９ｍｍ、内径が５．９ｍｍ、長さが７９ｍｍの銅管を用いて、銅管の先端縁に対して面取り加工を施し、その末端部の外面に雄ネジ部を形成するように、押出管２３を作製する。
【００５１】
末端管２２に押出管２３の末端部を挿入して、末端管２２の孔内に形成された雌ネジ部と押出管２３の末端部外面に形成された雄ネジ部とを螺合することによって、末端管２２と押出管２３とを固定接続して、内管２０Ｂを構成する。
【００５２】
（２−３）圧縮スプリング３０
線径が０．７ｍｍの弾性ステンレスワイヤーを用いて、外径が８．３５ｍｍ、内径が６.９５ｍｍ、所定のピッチとターン（外管１０Ｂの大径部１３Ｂの長さに合わせる）を有する中空円筒状の螺旋型バネを形成することによって、圧縮スプリング３０を作製する。作製された圧縮スプリング３０を、内管２０Ｂの押出管２３の先端から嵌め込んで、その一端が末端管２２のフランジ２１と当接するように、内管２０Ｂの上に装着する。
【００５３】
（２−４）リアリング４０Ｂ
外径が１１ｍｍ、内径が８ｍｍ、長さが８ｍｍのアルミ管を用いて、前半部分の外面を削ることによって外径が９ｍｍ、長さが４ｍｍであり、外面に雄ネジ部を有する接続部４１を形成し、残りの長さが４.５ｍｍの後半部分の外面にローレット加工を施すことによって、リアリング４０Ｂを作製する。
【００５４】
（２−５）グリッパー６０Ｂ
外径が１１ｍｍ、内径が８ｍｍ、長さが６ｍｍの銅管を用いて、銅管の外面にローレット加工を施し、銅管の末端から５ｍｍにわたって銅管の内壁を削って内径を９．４ｍｍにするとともに、残りの先端部の１ｍｍの部分に対して、当該部分の内壁面が銅管の軸心線に対して内側へ２０度傾斜し、最少内径が８．８７ｍｍになるようにテーパ加工を施すことによって、外リング６１を作製する。
【００５５】
外径が９．１ｍｍ、内径が７．９ｍｍ、長さが５ｍｍの銅管を用いて、銅管の内壁に雌ネジ部を形成するように、内リング６２を作製する。
【００５６】
厚さが０．１５ｍｍの高硬度ステンレス板を用いて、図９に示す形状にスタンピングまたは腐食フォーミングすることにより、長さが２８．５７ｍｍ、幅が５ｍｍの板本体６３２と、当該板本体６３２の一側から並列に伸びだした長さが７．６８ｍｍ、幅が２ｍｍの３つの帯状の指６３３とを有する板部材６３１を作製する。
【００５７】
そして、外リング６１の末端から板部材６３１を中空円筒状に丸めて外リング６１内部に押さえ込むと、その３つの指６３３は、外リング６１から通り抜けるとともに、その根元が先端縁のテーパ部に制限されて、約２０度の角度で内側へ傾斜する状態になる。さらに、このように形成された指リング６３内部に内リング６２を押圧すると、図８に示すグリッパー６０Ｂが作製される。
【００５８】
（２−６）組立
棒灸５０を先端部が外部に露出されるように内管２０Ｂに差し込んでから、外管１０Ｂの末端から内管２０Ｂを差し込む。そして、内管２０Ｂの末端管２２にリアリング４０Ｂを嵌めて、当該リアリング４０Ｂの接続部４１を外管本体１１Ｂの末端部に固定接合し、さらに、グリッパー６０Ｂを外管１０Ｂの接続端部１５に環状リブまで嵌めて接続端部１５の雄ネジ部と螺合させることによって、棒灸保持具１Ｂが組み立てられる。
【００５９】
本実施の形態の棒灸保持具１Ｂによれば、上述した棒灸保持具１Ａの効果に加え、グリッパー６０Ｂが外管１０Ｂに対して簡単に脱着することができるため、グリッパー６０Ｂが汚れた時、それを取り外して洗浄し、グリッパー６０Ｂが変形や破損した時、それを交換して棒灸保持具１Ｂを継続して使用することができるといった効果を有している。
【００６０】
＜第３実施の形態＞
図１０〜図１６を参照しながら、本発明の第３実施の形態の棒灸保持具１Ｃを説明する。図１０に示すように、棒灸保持具１Ｃは、外管１０Ｃと、内管２０Ｃと、圧縮スプリング３０と、グリッパー６０Ｃと、リアリング４０Ｃとを備えている。
【００６１】
外管１０Ｃは、図１０に示すように、中空円筒状の外管本体１１Ｃと、当該外管本体１１Ｃに接続される接続端部１６とを有している。外管本体１１Ｃは、両端部の内壁に雌ネジ部が形成されている。接続端部１６は、末端部に雄ネジ部が形成された後部と、当該後部より外径が小さく、先端部に雄ネジが形成された前部とを有している。接続端部１６の末端部が外管本体１１Ｃの先端部に挿入され、雄ネジ部を介して外管本体１１Ｃの雌ネジ部と螺合して結合されて、外管１０Ｃが構成されている。接続端部１６の後部は、先端部に外径が縮小され、中央部に環状リブが設けられ、環状リブの前方に雄ネジ部が形成されるようになっている。
【００６２】
内管２０Ｃは、図１０に示すように、押出部２４と小径部２３Ｃとを有している。押出部２４は、中央から後側よりの箇所にリブ２５が設置されている。小径部２３Ｃは、押出部２４との間に段差を有するように、押出部２４より外径が小さく形成されている。
【００６３】
圧縮スプリング３０は、図１０に示すように、弾性ステンレスワイヤーで構成された中空円筒状の螺旋型バネであり、内管２０Ｃの小径部２３Ｃと外管１０Ｃとの間に配置されるように構成されている。
【００６４】
リアリング４０Ｃは、第１実施の形態におけるリアリング４０Ａ、第２実施の形態におけるリアリング４０Ｂと同じ構造とされているため、ここでは、その説明を省略する。
【００６５】
グリッパー６０Ｃは、図１２に示すように、外リング６５と、指リング６６と、制限リング６７とを備えている。外リング６１は、中空円筒状に形成され、円筒の外面にローレット加工が施されており、円筒の先端部の内壁面には、内径差によって形成された段差部６５１が設けられ、段差部６５１よりも前側寄りの内壁に環状の位置決め溝６５２が形成されており、円筒の末端部の内壁に雌ネジ部が設けられている。
【００６６】
指リング６６は、図１３に示すように、円形の環状部６６１と、環状部６６１から等間隔で円心まで伸びだした４つの指６６２とからなる円盤状部材を加工して、そして、４つの指６６２が環状部６６１に対して所定の角度で曲折して立ち上がるように立体成形加工することによって作製されたものである。なお、円形の環状部６６１の外径が外リング６５の先端部の内径と対応している。
【００６７】
制限リング６７は、開口のあるリング状部材で構成されたものである。その外径が外リング６５の先端部の内径より若干大きくなっている。
【００６８】
外リング６５の段差部６５１に指リング６６を配置してから、制限リング６７を外リング６５の位置決め溝６５２に嵌め込むことによって、グリッパー６０Ｃが構成される。
【００６９】
棒灸保持具１Ｃの組立方法として、まず、図１１に示すように、上述したように圧縮スプリング３０を嵌めた内管２０Ｃを、棒灸５０を先端部が外部に露出されるように、外管１０Ｃに挿入する。そして、内管２０Ｃの末端管２２にリアリング４０Ｃを嵌めて、当該リアリング４０Ｃを外管本体１１Ｃの末端部に固定接合し、さらに、グリッパー６０Ｃを外管１０Ｃの接続端部１６の先端部に嵌めて螺合することによって、棒灸保持具１Ｃが組み立てられる。
【００７０】
組立てられた棒灸保持具１Ｃにおいて、圧縮スプリング３０は、外管１０Ｃの内壁と内管２０Ｃの小径部２３Ｃとの間に形成された位置制限空間に収納されて、一端が外管１０Ｃの接続端部１６の末端に当接し、他端が内管２０Ｃの小径部２３Ｃと押出部２４との間に段差に当接するようになっている。そのため、手で内管２０Ｃの末端管２２を押すと、圧縮スプリング３０が圧縮されて、内管２０Ｃが外管１０Ｃに対して前進して外管１０Ｃ先端部のグリッパー６０Ｃを突き抜けてグリッパー６０Ｃを広げて、棒灸５０が４つの指６６２の間に送られ、手を放すと、圧縮スプリング３０の復元に連れて内管２０Ｃが外管１０Ｃに対して後退するため、グリッパー６０Ｃが収束して、棒灸５０がそのまま４つの指６６２の間に挟まれて保持されるようになっている。逆に、棒灸５０が指６６２に保持された状態において、手で内管２０Ｃの末端管２２を押すと、内管２０Ｃが前進して３つの指６６２が広げられるため、棒灸５０を後退させることができる。このように、内管２０Ｃの末端管２２を押す操作だけで、棒灸５０の伸縮を調整し、棒灸５０の燃焼を維持したり、棒灸５０の燃焼を止めたりすることができる。
【００７１】
図１４は、グリッパー６０Ｃの指リング６６が広がる前の状態を示し、図１５は指リング６６が広がっている状態をし、図１６は、棒灸保持具１Ｃが棒灸５０を保持している状態を示している。なお、図１４〜図１６において、指リング６６の動作を見やすいように、外管１０Ｃの表示が簡略され、グリッパー６０Ｃの他の部分の表示が省略されている。
【００７２】
次に、棒灸保持具１Ｃの製造方法について、中型サイズの棒灸に適用される棒灸保持具１Ｃの一実施例を挙げて説明する。
【００７３】
（３−１）外管１０Ｃ
外径が１６ｍｍ、内径が１３．６ｍｍ、長さが９８ｍｍのアルミ管を用いて、管の両端部内部に雌ネジ部を形成することによって、外管本体１１Ｃを作製する。
【００７４】
外径が１５ｍｍ、内径が１１．５ｍｍ、長さが３１．５ｍｍのステンレス管を用いて、管先端まで１７ｍｍの長さの範囲にわたって外径が１２．７ｍｍになるように管の外面を削り、末端から１４ｍｍの長さの範囲にわたって外径が１４．３ｍｍになるように管の外面を削るとともに、外面に雄ネジ部を形成することによって、接続端部１６を作製する。
【００７５】
外管本体１１Ｃの先端部に接続端部１６の末端部を挿入してねじこむことによって、外管本体１１Ｃと接続端部１６とが固定接合された外管１０Ｃが作製される。
【００７６】
（３−２）内管２０Ｃ
外径が１２ｍｍ、内径が１０ｍｍ、長さが１４９ｍｍの管を用いて、管の先端部まで６０ｍｍの長さの範囲にわたって外径が１１ｍｍになるように、管の外面を削って小径部２３Ｃを形成し、末端まで３１ｍｍ離れた箇所に環状溝を形成し、その環状溝にリングを嵌めてリブ２５を形成することによって、内管２０Ｃが作製される。
【００７７】
（３−３）圧縮スプリング３０
線径が０．８ｍｍの弾性ステンレスワイヤー（高硬度のものが望ましい）を用いて、外径が１２．６０ｍｍ、内径が１１ｍｍ、所定のピッチとターン（内管２０Ｃの小径部２３Ｃの長さに合わせる）を有する中空円筒状の螺旋型バネを形成することによって、圧縮スプリング３０を作製する。作製された圧縮スプリング３０を、内管２０Ｃの小径部２３Ｃに嵌め込むように、内管２０Ｃの上に装着する。
【００７８】
（３−４）リアリング４０Ｃ
外径が１６．５ｍｍ、内径が１２．４ｍｍ、長さが１０ｍｍの銅管を用いて、前半部分の外面を削ることによって、外径が１５ｍｍ、長さが５ｍｍであり、外面に雄ネジ部を有する接続部４１を形成し、残りの後半部分の外面にローレット加工を施すことによって、リアリング４０Ｃを作製する。
【００７９】
（３−５）グリッパー６０Ｃ
外径が１８ｍｍ、内径が１１．６ｍｍ、長さが６．７ｍｍの銅管を用いて、銅管先端から２ｍｍ以内の範囲にわたって内径を１６ｍｍとし、残りの部分の内径を１２．６ｍｍとするように銅管の内壁面を削ることによって、段差部６５１を形成し、当該段差部６５１よりも先端寄りの内壁面に環状の位置決め溝６５２を形成し、さらに、銅管の末端部の内壁に雌ネジ部を形成し、銅管外表面の全体をローレット加工することによって、外リング６５を作製する。
【００８０】
ベリリウム銅板をスタンピング成形することによって、図１３に示すような、外径が１６ｍｍの円形の環状部６６１と、環状部から等間隔で円心まで伸びだした４つの指６６２とからなる円盤状部材を作製し、そして、４つの指６６２が環状部６６１に対して所定の角度で曲折して立ち上がるように立体成形加工することによって、図１３に示すような指リング６６を作製する。
【００８１】
金属板をスタンピング成形することによって、図１１に示す開口のある円盤状の制限リング６７リングを作製する。
【００８２】
そして、外リング６５の段差部６５１に指リング６６を配置してから、制限リング６７を外リング６５の位置決め溝６５２に嵌め込むように、グリッパー６０Ｃを作製する。
【００８３】
（３−６）組立
棒灸５０を先端部が外部に露出されるように内管２０Ｃに差し込んでから、外管１０Ｃの末端から内管２０Ｃを差し込む。そして、内管２０Ｃの末端管２２からリアリング４０Ｃを嵌めて、当該リアリング４０Ｃの接続部４１を外管本体１１Ｃの末端部に固定接合し、さらに、グリッパー６０Ｃを外管１０Ｃの接続端部１５に環状リブまで嵌めて接続端部１５の雄ネジ部と螺合させることによって、棒灸保持具１Ｃが組み立てられる。
【００８４】
本実施の形態の棒灸保持具１Ｃによれば、上述した棒灸保持具１Ａおよび棒灸保持具１Ｂの効果に加え、さらに次の効果を有している。即ち、外管１０Ｃの先端部として、外管本体１１Ｃに対して簡単に脱着できる接続端部１６が設けられている。外管１０Ｃの先端部は、棒灸５０の高温部に近いため、棒灸から発生するタールが付きやすくなっているが、タールを頻繁に取り除かないと、棒灸５０が粘着されてしまうことがある。棒灸保持具１Ｃおいて、接続端部１６が簡単に脱着することができるため、タールが付いた場合、それを取り外して洗浄することができる。そのため、操作が便利になっている。
【００８５】
なお、棒灸５０の燃焼温度が３００℃近くなるため、上述した棒灸保持具１Ａ、１Ｂ、１Ｃの構成部分は、すべて耐高温材料で作製される必要がある。
【００８６】
また、本発明に係る温灸棒は、上述した棒灸保持具１Ａ、１Ｂ、１Ｃを備えていることを特徴としている。さらに、本発明に係る灸装置は、上述した棒灸保持具１Ａ、１Ｂ、１Ｃを備えていることを特徴としている。このような温灸棒および灸装置によれば、上述した棒灸保持具１Ａ、１Ｂ、１Ｃと同様の作用効果が得られる。
【００８７】
また、上述した各実施の形態は、本発明のすべての点について例示したものであり、限定的な解釈の根拠となるものではない。したがって、本考案の技術的範囲は、上記した実施の形態のみによって解釈されるものではなく、当業者による本発明の主旨を超えない範囲内に行われた様々な同等な変更および改良はすべて本発明の範囲内に含まれている。
【符号の説明】
【００８８】
１Ａ、１Ｂ、１Ｃ    棒灸保持具
１０Ａ、１０Ｂ、１０Ｃ    外管
２０Ａ、２０Ｂ、２０Ｃ    内管
３０    圧縮スプリング
４０Ａ、４０Ｂ、４０Ｃ    リアリング
５０    棒灸
６０Ｂ、６０Ｃ    グリッパー
【図１】
2019150550.tif 000003
【図２】
2019150550.tif 000004
【図３】
2019150550.tif 000005
【図４】
2019150550.tif 000006
【図５】
2019150550.tif 000007
【図６】
2019150550.tif 000008
【図７】
2019150550.tif 000009
【図８】
2019150550.tif 000010
【図９】
2019150550.tif 000011
【図１０】
2019150550.tif 000012
【図１１】
2019150550.tif 000013
【図１２】
2019150550.tif 000014
【図１３】
2019150550.tif 000015
【図１４】
2019150550.tif 000016
【図１５】
2019150550.tif 000017
【図１６】
2019150550.tif 000018
【図１７】
2019150550.tif 000019